(57)【要約】【課題】  熱溶着性であるブラシ毛、または、熱溶着性であるブラシ毛束を使用して形成されたチャンネルブラシであって、ブラシ毛が抜けにくいチャンネルブラシを提供する。【解決手段】  複数本のブラシ毛１３が熱溶着性であり、該複数本のブラシ毛１３が長尺チャンネル１１の溝１２内に熱溶着されて植え込まれ、前記溝１２の開口面から突出して長手方向に連続した状態で形成されるようにした。【選択図】  図１
2007021014.tif 000002
【特許請求の範囲】
【請求項１】
複数本のブラシ毛が熱溶着性であり、該複数本のブラシ毛が長尺チャンネルの溝内に熱溶着されて植え込まれ、前記溝の開口面から突出して長手方向に連続した状態で形成されていることを特徴とするチャンネルブラシ。
【請求項２】
請求項１に記載の長尺チャンネルの複数個が長尺な熱溶着性樹脂の板上に載置され、互いの側面を当接または近接して並置された状態で、前記各長尺チヤンネルの底部の裏面が前記長尺な熱溶着性樹脂の板上に熱溶着により一体化されて複合長尺チャンネルに形成されていることを特徴とするチャンネルブラシ。
【請求項３】
複数本のブラシ毛を束ねたブラシ毛束が熱溶着性であり、該ブラシ毛束の根元の部分が、長手方向に沿って略一定の間隔で複数の穴を設けた長尺な樹脂の基台の各穴内に熱溶着されて植え込まれ、複数本のブラシ毛が前記各穴の開口面から突出して長手方向に連続した状態で形成されていることを特徴とするチャンネルブラシ。
【請求項４】
請求項３に記載の長尺な樹脂の基台の複数個が長尺な熱溶着性樹脂の板上に載置され、互いの側面を当接または近接して並置された状態で、前記各長尺な樹脂の基台の底部の裏面が前記長尺な熱溶着性樹脂の板上に熱溶着により一体化されて複合基台に形成されていることを特徴とするチャンネルブラシ。
【発明の詳細な説明】
【技術分野】
【０００１】
本発明は、チャンネルブラシに関するものである。
【背景技術】
【０００２】
従来のチャンネルブラシとしては、金属帯の長尺チャンネルの上に交差してブラシ毛を配置し、その上から芯線をあてがうとともに、芯線を長尺チャンネルの内部に押し込んでブラシ毛を２つ折りし、前記長尺チャンネルの開放する左右の端縁を挟圧することによりブラシ毛を挟着し、ブラシ毛の折曲部を長尺チャンネルに植え込むようにしたチャンネルブラシが知られている。（特許文献１参照）
【特許文献１】特開２００３−２７５０２６
【発明の開示】
【発明が解決しようとする課題】
【０００３】
この種のチャンネルブラシの場合、長尺チャンネルの開放する左右の端縁を挟圧することによりブラシ毛を挟着しているので、ブラシ毛が傷ついて切れやすくなったり、使用中にブラシ毛が抜けてしまったりするためチャンネルブラシの改善が望まれていた。
【０００４】
本発明は、上記課題を解決するもので、熱溶着性であるブラシ毛、または、熱溶着性であるブラシ毛束を使用して形成されたチャンネルブラシであって、ブラシ毛が抜けにくいチャンネルブラシを提供することを目的とする。
【課題を解決するための手段】
【０００５】
上記課題を解決するために請求項１記載の発明は、複数本のブラシ毛が熱溶着性であり、該複数本のブラシ毛が長尺チャンネルの溝内に熱溶着されて植え込まれ、前記溝の開口面から突出して長手方向に連続した状態で形成されていることを特徴とするチャンネルブラシである。
【０００６】
また、請求項２記載の発明は、請求項１に記載の長尺チャンネルの複数個が長尺な熱溶着性樹脂の板上に載置され、互いの側面を当接または近接して並置された状態で、前記各長尺チヤンネルの底部の裏面が前記長尺な熱溶着性樹脂の板上に熱溶着により一体化されて複合長尺チャンネルに形成されていることを特徴とするチャンネルブラシである。
【０００７】
また、請求項３記載の発明は、複数本のブラシ毛を束ねたブラシ毛束が熱溶着性であり、該ブラシ毛束の根元の部分が、長手方向に沿って略一定の間隔で複数の穴を設けた長尺な樹脂の基台の各穴内に熱溶着されて植え込まれ、複数本のブラシ毛が前記各穴の開口面から突出して長手方向に連続した状態で形成されていることを特徴とするチャンネルブラシである。
【０００８】
また、請求項４記載の発明は、請求項３に記載の長尺な樹脂の基台の複数個が長尺な熱溶着性樹脂の板上に載置され、互いの側面を当接または近接して並置された状態で、前記各長尺な樹脂の基台の底部の裏面が前記長尺な熱溶着性樹脂の板上に熱溶着により一体化されて複合基台に形成されていることを特徴とするチャンネルブラシである。
【発明の効果】
【０００９】
本発明によれば、長尺チヤンネルの溝内に熱溶着されて植え込まれたブラシ毛、または、長尺な樹脂の基台の各穴内に熱溶着されて植え込まれたブラシ毛は、使用中にブラシ毛が抜け落ちにくく、また、長尺チャンネルの両端縁を強く挟圧してブラシ毛を固定する必要がないので、長尺チャンネルの両端縁の挟圧によりブラシ毛が切れ易くなってしまうことが防止される等優れたものである。
【発明を実施するための最良の形態】
【００１０】
以下、図面に基づいて本発明の実施例を説明する。
【実施例１】
【００１１】
図１（ａ）は本発明に係るチャンネルブラシの実施例１を示す概略斜視図である。図１（ａ）において、チャンネルブラシ１０は、断面が略コ字形をした金属製（または硬質な樹脂）の長尺チヤンネル１１の溝１２内に複数本の熱溶着性樹脂製のブラシ毛１３の各一端が長尺チヤンネル１１の開口面１４から略垂直に外部に略一定長さ突出して、根元側の他端１３ｄが長尺チヤンネル１１の溝１２の内面に熱溶着されて形成されている。したがって、長尺チャンネル１１の溝１２内には複数本のブラシ毛１３が熱溶着により固定されている。
【００１２】
したがって、長尺チャンネル１１が金属製であれば開放する左右の端縁１１ａ，１１ａを折り曲げるだけで十分であるため、長尺チャンネル１１の両端縁１１ａ，１１ａを強く挟圧してブラシ毛を固定する必要がないので、長尺チャンネル１１の両端縁１１ａ，１１ａの挟圧によりブラシ毛１３が切れ易くなってしまうことが防止される。また、長尺チャンネル１１は、両端縁１１ａ，１１ａを挟圧してブラシ毛を固定する必要がないので、開放する左右の端縁１１ａ，１１ａを折り曲げた形状（断面コ字状）に成形した硬質な樹脂製のものを使用することができる。
【実施例２】
【００１３】
図１（ｂ）は本発明に係るチャンネルブラシの実施例２を示す概略斜視図である。図１（ｂ）において、チャンネルブラシ１０ａは、複数個の長尺チャンネル１１を一体化した複合長尺チャンネル１６を使用して構成されている。複合長尺チャンネル１６は、長尺チャンネル１１の複数個が長尺な樹脂（熱溶着性樹脂も含む）の板１５上に載置され、長尺チャンネル１１の互いの側面を当接または近接して並置された状態で、各長尺チヤンネル１１の底部の裏面が長尺な樹脂の板１５上に接着（または熱溶着）されて一体化されているものである。各長尺チャンネル１１には、実施例１のチャンネルブラシ１０と同様に、複数本の熱溶着性樹脂製のブラシ毛１３が溝１２内に熱溶着されて植え込まれている。
【実施例３】
【００１４】
図２（ａ）は本発明に係るチャンネルブラシの実施例３を示す概略斜視図である。図２（ａ）において、チャンネルブラシ２０は、長手方向に沿って略一定の間隔で複数の穴２１を設けた長尺な樹脂の基台２３を使用して構成されている。長尺な樹脂の基台２３の各穴２１には、複数本の熱溶着性樹脂製のブラシ毛１３を束ねて得られたブラシ毛束２２が挿し込まれ、複数本のブラシ毛１３が各穴２１の開口面２４から略垂直に外部に略一定長さ突出した状態で、ブラシ毛束２２の根元の部分２２ａが穴２１の内面に熱溶着されて形成されている。したがって、長尺な樹脂の基台２３の各穴２１内には複数本のブラシ毛１３が熱溶着によりブラシ毛１３を傷つけることなく固定されているから、ブラシ毛１３が切れ易くなってしまうことはない。
【実施例４】
【００１５】
図２（ｂ）は本発明に係るチャンネルブラシの実施例４を示す概略斜視図である。図２（ｂ）において、チャンネルブラシ２０ａは、複数個の基台２３を一体化した複合基台２６を使用して構成されている。複合基台２６は、長尺な樹脂（熱溶着性樹脂も含む）の基台２３の複数個が長尺な樹脂（熱溶着性樹脂も含む）の板１５上に載置され、長尺な樹脂の基台２３の互いの側面を当接または近接して並置された状態で、各樹脂の基台２３の底部の裏面２３ｂが長尺な樹脂の板１５上に接着（または熱溶着）されて一体化されているものである。各長尺な樹脂の基台２３には、実施例３のチャンネルブラシ２０と同様に、複数本の熱溶着性樹脂製のブラシ毛１３を束ねて得られたブラシ毛束２２が挿し込まれた状態で、ブラシ毛束２２の根元の部分２２ａが穴２１の内面に熱溶着されて植え込まれている。
【００１６】
実施例１〜４に使用されるブラシ毛１３を図３（ａ）〜（ｃ）に示す。図３（ａ）〜（ｃ）において、（ａ）のブラシ毛１３ａは、線状体で形成され、（ｂ）のブラシ毛１３ｂは、樹脂性のパイプ状体で形成され、（ｃ）のブラシ毛１３ｃは、ブラシ毛にダイヤモンド砥粒や金属砥粒等の砥粒１７が混入されているパイプ状体で形成されている。
【実施例５】
【００１７】
図４（ａ）〜（ｃ）はチャンネルブラシの実施例５〜７の概略斜視図、図５（ａ）〜（ｃ）はチャンネルブラシの実施例８〜１０の概略斜視図である。
【００１８】
図４（ａ）は本発明に係るチャンネルブラシの実施例５を示す概略斜視図である。実施例５のチャンネルブラシ４０ａは、実施例１におけるチャンネルブラシ１０とブラシ毛３３ａの構成が異なる以外は同じ構成である。ブラシ毛３３ａは、金属線を複数本束ね、先端の一定長さは束ねた金属線を露出させた状態であり、束ねた金属線の他の部分は、金属線の表面に熱溶着性樹脂がコーティングされているか、或いは、束ねた金属線を熱溶着性樹脂製のチューブに挿通させて、先端の一定長さだけ金属線を露出させた状態のものであり、ブラシ毛３３ａとしては、後述する図６（ａ）〜（ｃ）に示すブラシ毛４０ａ〜４０ｃが適用できる。
【００１９】
チャンネルブラシ４０ａは、断面が略コ字形をした金属製（または硬質な樹脂）の長尺チヤンネル１１の開口面１４から、ブラシ毛３３ａが、略垂直に外部に略一定長さ突出して先端は金属線が露出しており、また、金属線の表面に熱溶着性樹脂がコーティングされているか、或いは、束ねた金属線を熱溶着性樹脂製のチューブに挿通させたブラシ毛３３ａの根元側の他端３３ｄが長尺チヤンネル１１の溝１２の内面に熱溶着されている。この場合も、ブラシ毛３３ａは根元側が熱溶着により固定されているから、長尺チャンネル１１が金属製であれば開放する左右の端縁を折り曲げるだけで十分であり、また、長尺チャンネル１１は、開放する左右の端縁を折り曲げた形状（断面コ字状）に成形した硬質な樹脂製のものを使用することができる。
【実施例６】
【００２０】
図４（ｂ）は本発明に係るチャンネルブラシの実施例６を示す概略斜視図である。実施例６は、実施例５におけるチャンネルブラシ４０ａとブラシ毛３３ｂ、３３ｃの構成が異なる以外は同じ構成である。実施例６において、ブラシ毛３３ｂは、金属線を複数本束ね、金属線の全長に亘って、表面に熱溶着性樹脂がコーティングされているか、或いは、金属線を複数本束ねた金属線束の全長に亘って、熱溶着性樹脂製のチューブに挿通させたものであり、ブラシ毛３３ｂとしては、後述する図７（ａ）〜（ｃ）に示すブラシ毛５０ａ〜５０ｃが適用できる。
【実施例７】
【００２１】
図４（ｃ）は本発明に係るチャンネルブラシの実施例７を示す概略斜視図である。実施例７は、実施例５におけるチャンネルブラシ４０ａとブラシ毛３３ｂ、３３ｃの構成が異なる以外は同じ構成である。実施例７において、ブラシ毛３３ｃは、金属線を複数本束ねその外周に、金属線を編み込んだ網目シートを巻き込んで棒状に束ねた金属線束を熱溶着性樹脂製のチューブに挿通させて、先端の一定長さだけ金属線束を露出させた状態たものであり、ブラシ毛３３ｃとしては、後述する図６（ｄ）に示すブラシ毛４０ｄが適用できる。
【実施例８】
【００２２】
図５（ａ）は本発明に係るチャンネルブラシの実施例８を示す概略斜視図である。実施例８のチャンネルブラシ５０ａは、実施例３におけるチャンネルブラシ２０とブラシ毛３３ａの構成が異なる以外は同じ構成である。ブラシ毛３３ａは実施例５で説明したが、金属線を複数本束ね、先端の一定長さは金属線を露出させた状態であり、他の部分は、金属線の表面に熱溶着性樹脂がコーティングされているか、或いは、束ねた金属線を熱溶着性樹脂製のチューブに挿通させて、先端の一定長さだけ金属線を露出させた状態たものであり、ブラシ毛３３ａとしては、後述する図６（ａ）〜（ｃ）に示すブラシ毛４０ａ〜４０ｃが適用できる。
【００２３】
チャンネルブラシ５０ａは、長手方向に沿って略一定の間隔で複数の穴２１を設けた長尺な樹脂（熱溶着性樹脂も含む）の基台２３を使用して構成されている。長尺な樹脂の基台２３の各穴２１には、ブラシ毛３３ａが挿し込まれ、ブラシ毛３３ａの金属線部分を先端に向けて各穴２１の開口面２４から略垂直に外部に略一定長さ突出した状態で、ブラシ毛３３ａの熱溶着性樹脂で構成された根元の部分３３ｄが穴２１の内面に熱溶着されて形成されている。したがって、長尺な樹脂の基台２３の各穴２１内には複数本のブラシ毛１３がの熱溶着性樹脂で構成された根元の部分が熱溶着により固定されているから、ブラシ毛１３の取り付けにより、ブラシ毛１３を傷つけることはなく、ブラシ毛１３が切れ易くなってしまうことはない。
【実施例９】
【００２４】
図５（ｂ）は本発明に係るチャンネルブラシの実施例９を示す概略斜視図である。実施例９のチャンネルブラシ５０ｂは、実施例８と同様に実施例３におけるチャンネルブラシ２０とブラシ毛３３ｂの構成が異なる以外は実施例９で説明したのと同じであるのでここでは、ブラシ毛３３ｂの構成を説明するに留める。
【００２５】
ブラシ毛３３ｂは実施例６で説明したが、金属線を複数本束ね、金属線の全長に亘って、表面に熱溶着性樹脂がコーティングされているか、或いは、金属線を複数本束ねた金属線束の全長に亘って、熱溶着性樹脂製のチューブに挿通させたものであり、ブラシ毛３３ｂとしては、後述する図７（ａ）〜（ｃ）に示すブラシ毛５０ａ〜５０ｃが適用できる。
【実施例１０】
【００２６】
図５（ｃ）は本発明に係るチャンネルブラシの実施例１０を示す概略斜視図である。実施例１０のチャンネルブラシ５０ｃは、実施例８、９と同様に実施例３におけるチャンネルブラシ２０とブラシ毛３３ｃの構成が異なる以外は実施例８、９で説明したのと同じであるのでここでは、ブラシ毛３３ｃの構成を説明するに留める。
【００２７】
ブラシ毛３３ｃは実施例７で説明したが、金属線を複数本束ねその外周に、金属線を編み込んだ網目シートを巻き込んで棒状に束ねた金属線束を熱溶着性樹脂製のチューブに挿通させて、先端の一定長さだけ金属線束を露出させた状態たものであり、ブラシ毛３３ｃとしては、後述する図６（ｄ）に示すブラシ毛４０ｄが適用できる。
【００２８】
図６（ａ）〜（ｃ）はチャンネルブラシの実施例５、８に使用されるブラシ毛の概略斜視図、図６（ｄ）はチャンネルブラシの実施例７、１０に使用されるブラシ毛の概略斜視図である。
【００２９】
図６（ａ）に示すブラシ毛４０ａは、金属線６０を複数本束ねた金属線束６１の両端の一定長さを除いた中央部分の金属線６０に熱溶着性樹脂６２がコーティングされているものである。図６（ｂ）に示すブラシ毛４０ｂは、金属線６０の表面に熱溶着性樹脂６２がコーティングされているか、または金属線束６１を熱溶着性樹脂製のチューブに挿通させた金属樹脂線６３により、金属線束６１の中央部分に巻き付けたもので、両端の一定長さは金属線６１を露出させた状態であり、金属線束６１の中央部分に金属樹脂線６４が巻き付けられているものである。また、図６（ｃ）に示すブラシ毛４０ｃは、金属線６０を複数本束ねた金属線束６１を熱溶着性樹脂製のチューブ６４に挿通させて、両端の一定長さは束ねた金属線６０を露出させた状態であり、金属線束６１の中央部分に熱溶着性樹脂樹脂製のチューブ６４が被せられているものである。なお、熱溶着性樹脂樹脂製のチューブ６４にはダイヤモンド砥粒や金属砥粒等の砥粒１７が混入されていて、チャンネルブラシ４０ａに取り付けられると、金属線による研磨だけでなく、砥粒１７が混入された熱溶着性樹脂樹脂製のチューブ６４による研磨も行えるものである。
【００３０】
図６（ａ）〜（ｃ）に示す各ブラシ毛４０ａ〜４０ｃは、両端の一定長さは束ねた金属線を露出させた状態であり、束ねた金属線の他の部分は、金属線の表面に熱溶着性樹脂がコーティングされているか、或いは、束ねた金属線を熱溶着性樹脂製のチューブに挿通させて、両端の一定長さだけ金属線を露出させた状態のものであるので、実施例５、８のブラシ毛として使用する場合には、ブラシ毛４０ａ〜４０ｃを２つ折りにして使用するとよい。または、ブラシ毛４０ａ〜４０ｃを２つ折りする代わりに、熱溶着性樹脂がコーティングされている部分か、熱溶着性樹脂製のチューブが被せられている部分の中央で２つに切断して使用するとよい。
【００３１】
また、図６（ｄ）に示すブラシ毛４０ｄは、金属線６０を複数本束ねて、その外周に、金属線を編み込んだ網目シート６５を巻き込んで棒状に束ねた金属線束６６を熱溶着性樹脂製のチューブ６４に挿通させて、先端の一定長さだけ金属線束６６を突出させて露出させた状態のものである。ブラシ毛４０ｄを実施例７、１０のブラシ毛として使用する場合には、ブラシ毛４０ｄを２つ折りにして使用するとよい。または、ブラシ毛４０ｄを２つ折りする代わりに、熱溶着性樹脂製のチューブが被せられている部分の中央で２つに切断して使用するとよい。
【００３２】
図７（ａ）〜（ｃ）はチャンネルブラシの実施例６、９に使用されるブラシ毛の概略斜視図である。図７（ａ）に示すブラシ毛５０ａは、金属線の表面に熱溶着性樹脂がコーティングされているか、または金属線を熱溶着性樹脂製のチューブに挿通させた金属樹脂線６３により、金属線６０を複数本束ねた金属線束６１の外周に巻き付けたものである。また、ブラシ毛５０ｂは、金属線を複数本束ねた金属線束６１の外周に、熱溶着性樹脂を成形した網目シート６７を巻き込んで棒状に形成されたものである。また、ブラシ毛５０ｃは、金属線の表面に熱溶着性樹脂がコーティングされているか、または金属線を熱溶着性樹脂製のチューブに挿通させた金属樹脂線６３を撚り合せて太い線状に形成されたものである。
【００３３】
本発明は前記実施の形態に限定されるものではなく、クレームに記載の構成を変更しない限りどのようにでも実施することができる。
【図面の簡単な説明】
【００３４】
【図１】（ａ）は本発明に係るチャンネルブラシの実施例１を示す概略斜視図、（ｂ）は本発明に係るチャンネルブラシの実施例２を示す概略斜視図である。
【図２】（ａ）は本発明に係るチャンネルブラシの実施例３を示す概略斜視図、（ｂ）は本発明に係るチャンネルブラシの実施例４を示す概略斜視図である。
【図３】（ａ）〜（ｃ）は実施例１〜４に使用されるブラシ毛を示す概略斜視図である。
【図４】（ａ）〜（ｃ）はチャンネルブラシの実施例５〜７の概略斜視図である。
【図５】（ａ）〜（ｃ）はチャンネルブラシの実施例８〜１０の概略斜視図である。
【図６】（ａ）〜（ｃ）はチャンネルブラシの実施例５、８に使用されるブラシ毛の概略斜視図、（ｄ）はチャンネルブラシの実施例７、１０に使用されるブラシ毛の概略斜視図である。
【図７】（ａ）〜（ｃ）はチャンネルブラシの実施例６、９に使用されるブラシ毛の概略斜視図である。
【符号の説明】
【００３５】
１０，１０ａ，２０，２０ａ，４０ａ〜４０ｃ，５０ａ〜５０ｃ  チャンネルブラシ
１１  長尺チヤンネル
１１ａ  端縁
１２  溝
１３，３３ａ〜３３ｃ，４０ａ〜４０ｄ  ブラシ毛
１４  開口面
１５  熱溶着性樹脂の板
１６  複合長尺チャンネル
１７  砥粒
２１  穴
２２  ブラシ毛束
２２ａ  ブラシ毛束の根元の部分
２３  基台
２４  穴の開口面
２６  複合基台
３３ｄ  ブラシ毛の他端
６０  金属線
６１，６６  金属線束
６２  熱溶着性樹脂
６３  金属樹脂線
６４  熱溶着性樹脂製のチューブ
６５  金属線を編み込んだ網目シート
６７  熱溶着性樹脂を成形した網目シート
【図１】
2007021014.tif 000003
【図２】
2007021014.tif 000004
【図３】
2007021014.tif 000005
【図４】
2007021014.tif 000006
【図５】
2007021014.tif 000007
【図６】
2007021014.tif 000008
【図７】
2007021014.tif 000009